(57)【特許請求の範囲】
【請求項１】
車両に搭載された車載機器と、前記車両に搭乗する乗員が所有する携帯型情報処理装置とを含んで構築される操作支援システムであって、
前記携帯型情報処理装置は、
公衆通信ネットワークを介して、外部サーバから、前記車載機器に対して操作マニュアル表示データの転送を要求するための転送要求処理プログラムをダウンロードする手段と、
前記車載機器と短距離無線通信を行う短距離無線通信部と、
ダウンロードした前記転送要求処理プログラムの機能により、前記車載機器に前記操作マニュアル表示データの転送を要求するにあたって、前記車載機器と近距離無線通信を行うために、前記車載機器との関係で当該携帯型情報処理装置をどのような体勢とすべきか、及び、近距離無線通信を開始するために操作すべき当該携帯型情報処理装置のキー、を表示する手段と、
ダウンロードした前記転送要求処理プログラムの機能により、前記キーが操作された場合、前記短距離無線通信部を介して前記車載機器に対し、前記車載機器の操作マニュアル表示データの転送を要求するマニュアルデータ要求部と、
前記短距離無線通信部を介して受信した前記操作マニュアル表示データに基づいて前記車載機器の操作マニュアルを表示する表示部と、
前記表示部に表示されている前記操作マニュアルに関する各種表示操作を行う操作部と、を備え、
前記車載機器は、
前記操作マニュアル表示データを記憶するデータ記憶部と、
前記携帯型情報処理装置から前記操作マニュアル表示データの転送要求がなされた場合に、転送要求元の前記携帯型情報処理装置に前記操作マニュアル表示データを前記無線通信部を介して転送するマニュアルデータ転送部と、
を備えたことを特徴とする操作支援システム。
【請求項２】
請求項１に記載の操作支援システムにおいて、
前記短距離無線通信部は、赤外線あるいは電波を介して前記通信を行うことを特徴とする操作支援システム。
【請求項３】
請求項１又は２のいずれかに記載の操作支援システムが備える前記携帯型情報処理装置を制御するコンピュータにより実行される制御プログラムであって、
前記コンピュータを、
前記車載機器に前記操作マニュアル表示データの転送を要求するにあたって、前記車載機器と近距離無線通信を行うために、前記車載機器との関係で当該携帯型情報処理装置をどのような体勢とすべきか、及び、近距離無線通信を開始するために操作すべき当該携帯型情報処理装置のキー、を表示する手段と、
前記キーが操作された場合、前記短距離無線通信部を介して前記車載機器に対し、前記車載機器の操作マニュアル表示データの転送を要求するマニュアルデータ要求部と、
として機能させることを特徴とする制御プログラム。
【発明の詳細な説明】
【技術分野】
【０００１】
本発明は、携帯型情報処理装置、車載機器および制御プログラムにかかり、特に車載機器の操作支援を行うための携帯型情報処理装置、車載機器および制御プログラムに関する。
【背景技術】
【０００２】
近年のデジタル技術の発達により、カーナビゲーション装置、カーオーディオ装置等の車載機器においても、さまざまな機能を有する多機能な車載機器が増えてきている。
このため、多種多様な機能を利用しようとする場合には、多くの車載機器の操作方法を覚える必要があり、分厚い操作マニュアルを読みこなす必要があった。
一方、家庭内のテレビ、ラジオを始めとする電子機器は、リモートコントロール装置（以下、リモコンという。）を用いて遠隔操作ができるようになっており、カーナビゲーション装置、カーオーディオ装置等の車載機器においても同様であり、リモコンを用いることで遠隔操作が可能となっている。
このような車載機器について、各車載機器毎に個別のリモコンを用意しなくとも、携帯電話端末などの携帯用電子機器をリモコンとして使用し、携帯用電子機器により遠隔操作を行うことができるようにしたリモコンシステムが提案されている（例えば、特許文献１参照）。
【特許文献１】特開２００５−２６５５７２号公報
【発明の開示】
【発明が解決しようとする課題】
【０００３】
しかしながら、上記従来の車載機器においては、携帯電話端末の液晶パネルに表示されるのは、当該携帯電話端末をリモコンとして用いるための操作ガイドであり、実際の車載機器の操作を覚えることはできず、ひいては、携帯電話端末での操作に習熟したとしても、車載機器を単独では操作することもできないという問題点があった。
そこで、本発明の目的は、分厚い操作マニュアルを持ち歩くこともなく、容易に車載機器の操作の流れを参照でき、車載機器の操作を行えるように操作支援を行うことが可能な携帯型情報処理装置、車載機器および制御プログラムを提供することにある。
【課題を解決するための手段】
【０００４】
上記課題を解決するため、車両に搭載された車載機器と、前記車両に搭乗する乗員が所有する携帯型情報処理装置とを含んで構築される操作支援システムであって、前記携帯型情報処理装置は、公衆通信ネットワークを介して、外部サーバから、前記車載機器に対して操作マニュアル表示データの転送を要求するための転送要求処理プログラムをダウンロードする手段と、前記車載機器と短距離無線通信を行う短距離無線通信部と、ダウンロードした前記転送要求処理プログラムの機能により、前記車載機器に前記操作マニュアル表示データの転送を要求するにあたって、前記車載機器と近距離無線通信を行うために、前記車載機器との関係で当該携帯型情報処理装置をどのような体勢とすべきか、及び、近距離無線通信を開始するために操作すべき当該携帯型情報処理装置のキー、を表示する手段と、ダウンロードした前記転送要求処理プログラムの機能により、前記キーが操作された場合、前記短距離無線通信部を介して前記車載機器に対し、前記車載機器の操作マニュアル表示データの転送を要求するマニュアルデータ要求部と、前記短距離無線通信部を介して受信した前記操作マニュアル表示データに基づいて前記車載機器の操作マニュアルを表示する表示部と、前記表示部に表示されている前記操作マニュアルに関する各種表示操作を行う操作部と、を備え、前記車載機器は、前記操作マニュアル表示データを記憶するデータ記憶部と、前記携帯型情報処理装置から前記操作マニュアル表示データの転送要求がなされた場合に、転送要求元の前記携帯型情報処理装置に前記操作マニュアル表示データを前記無線通信部を介して転送するマニュアルデータ転送部と、を備えたことを特徴としている。
【０００５】
上記構成によれば、マニュアルデータ要求部は、短距離無線通信部を介して前記車載機器に対し、当該車載機器の操作マニュアル表示データの転送を要求する。
これにより、表示部は、前記短距離無線通信部を介して受信した前記操作マニュアル表示データに基づいて前記車載機器の操作マニュアルを表示し、操作部は、前記表示部に表示されている前記操作マニュアルに関する各種表示操作を行う。
【０００６】
この場合において、前記短距離無線通信部は、赤外線あるいは電波を介して前記通信を行うようにしてもよい。
また、上記課題を解決するため、請求項１又は２のいずれかに記載の操作支援システムが備える前記携帯型情報処理装置を制御するコンピュータにより実行される制御プログラムであって、前記コンピュータを、前記車載機器に前記操作マニュアル表示データの転送を要求するにあたって、前記車載機器と近距離無線通信を行うために、前記車載機器との関係で当該携帯型情報処理装置をどのような体勢とすべきか、及び、近距離無線通信を開始するために操作すべき当該携帯型情報処理装置のキー、を表示する手段と、前記キーが操作された場合、前記短距離無線通信部を介して前記車載機器に対し、前記車載機器の操作マニュアル表示データの転送を要求するマニュアルデータ要求部と、として機能させることを特徴としている。
【発明の効果】
【００１０】
本発明によれば、分厚い操作マニュアルを持ち歩くこともなく、表示部に表示された操作マニュアルに基づいて容易に多機能な機器の操作の流れを参照でき、機器の操作を行える。
【発明を実施するための最良の形態】
【００１１】
次に、本発明の好適な実施の形態について図面を参照して説明する。
図１は、車載機器の操作支援システムの概要構成ブロック図である。
操作支援システム１０は、大別すると、操作支援対象の車載機器１１と、車載機器１１と短距離無線通信ネットワーク１２を介して接続され、車載機器１１の操作マニュアルを表示するための携帯型情報処理装置としての携帯電話端末１３と、携帯電話端末１３と公衆通信ネットワーク１４を介して接続されるとともに、操作マニュアル表示データを車載機器１１からダウンロードするためのアプリケーションプログラムをあらかじめ携帯電話端末１３の種類別に格納したアプリケーションサーバ１５と、を備えている。
【００１２】
図２は、車載機器の概要構成ブロック図である。
車載機器１１としては、オーディオビジュアル機器、オーディオ機器、カーナビゲーション機器などが挙げられるが、以下においては、車載機器がカーナビゲーション機器である場合について説明する。
車載機器１１は、赤外線を用いて短距離無線を行う赤外線通信部２１と、ナビゲーション用の地図画像を含む各種情報を表示する表示部２２と、ユーザが各種操作を行うための複数の操作子が設けられた操作部２３と、ＤＶＤなどのディスク状記録媒体の再生を行うディスク再生部２４と、ナビゲーション用地図データベースおよび当該車載機器１１の操作マニュアルを携帯電話端末１３の表示画面に表示させるための操作マニュアル表示データを格納したハードディスクなどの外部記憶装置２５と、車載機器全体を制御するためのコントロール部２６と、を備えている。
コントロール部２６は、いわゆるマイクロコンピュータとして構成されており、当該コントロール部２６を制御するための制御プログラムおよび制御用データを格納したＲＯＭ２７と、ワークエリアとして機能し、各種データを一時的に記憶するＲＡＭ２８と、ＲＯＭ２７に格納されたプログラムに基づいて当該コントロール部２６、ひいては、車載機器１１全体の制御を行うＭＰＵ２９と、を備えている。
【００１３】
図３は、携帯電話端末の概要構成ブロック図である。
携帯電話端末１３は、赤外線を用いて短距離無線を行う赤外線通信部３１と、車載機器１１の操作マニュアルを含む各種情報を表示する表示部３２と、ユーザが各種操作を行うためのテンキーを含む複数の操作子が設けられた操作部３３と、半導体メモリカードのリード／ライトを行うメモリカードリーダライタ部３４と、公衆通信ネットワーク１４を介して通信を行うための無線通信部３５と、各種情報を不揮発的に記憶するＥＥＰＲＯＭなどの不揮発性メモリ３６と、携帯電話端末１３全体を制御するためのコントロール部３７と、を備えている。
【００１４】
コントロール部３７は、いわゆるマイクロコンピュータとして構成されており、当該コントロール部３７を制御するための制御プログラムおよび制御用データを格納したＲＯＭ３８と、ワークエリアとして機能し、各種データを一時的に記憶するＲＡＭ３９と、ＲＯＭ３８に格納されたプログラムに基づいて当該コントロール部３７、ひいては、携帯電話端末１３全体の制御を行うＭＰＵ４０と、を備えている。
アプリケーションサーバ１５は、公衆通信ネットワーク１４を介した通信を行う通信機能を有するサーバ本体４１と、携帯電話端末１３が車載機器１１から当該車載機器の操作マニュアル表示用データをダウンロードするためのアプリケーションプログラムを携帯電話端末１３の機種ごとに記憶するデータベース部４２と、を備えている。
【００１５】
次に実施形態の動作を説明する。
図４は、アプリケーションプログラムダウンロード時のシーケンスフローチャートである。
携帯電話端末１３は、公衆通信ネットワーク１４を介してアプリケーションサーバ１５のサーバ本体４１に対して車載機器の操作マニュアル表示データを要求するためのアプリケーションプログラムを取得すべく、自己の種別を表す種別データを添付してアプリケーションプログラムのダウンロードを要求する（ステップＳ１１）。
これによりアプリケーションサーバ１５は、送信された種別データに基づいてデータベース部４２を参照し、公衆通信ネットワーク１４を介してアプリケーションのダウンロードを要求した携帯電話端末１３に対応するアプリケーションプログラムを検索する（ステップＳ１２）。
【００１６】
検索の結果、アプリケーションのダウンロードを要求した携帯電話端末１３に対応するアプリケーションプログラムが見つかると、アプリケーションサーバ１５は、携帯電話端末１３に対するダウンロード処理を開始する。
これにより、携帯電話端末１３には、公衆通信ネットワーク１４を介してアプリケーションプログラムがダウンロードされ、携帯電話端末１３のコントロール部３７は、不揮発性メモリ３６に当該アプリケーションプログラムのインストールを行うこととなる（ステップＳ１４）。
【００１７】
図５は、マニュアル表示データダウンロード時のシーケンスフローチャートである。
図６は、アプリケーションプログラム起動時の携帯電話端末の表示画面の説明図である。
アプリケーションサーバ１５からアプリケーションプログラムをダウンロードし、インストールが完了した携帯電話端末１３において、ユーザは、アプリケーションプログラムを起動させる（ステップＳ２１）。
これにより、携帯電話端末１３の表示部３２の表示画面３２Ａには、図５に示すように、携帯電話端末１３の赤外線通信部３１の赤外光受発光部３１Ａを車載機器の赤外線受発光部に対向させて操作部３３における通信開始指示キーの操作を促す旨の画面が表示される（ステップＳ２２）。図５においては、通信開始指示キーを「♯」キーとして表示している。
この表示画面の指示にしたがって、ユーザが携帯電話端末１３の赤外線通信部３１の赤外光受発光部３１Ａを車載機器の赤外線通信部２１の赤外線受発光部（図示せず）に対向させて通信開始指示キーを操作すると、赤外線通信が開始され、携帯電話端末１３の赤外線通信部３１からマニュアル表示データのダウンロード要求コマンドを送信する（ステップＳ２３）。
【００１８】
一方、車載機器のコントロール部２６は、ダウンロード要求コマンドを赤外線通信部２１を介して受信し、外部記憶装置２５から操作マニュアル表示データを読み出す（ステップＳ２４）。
つづいてコントロール部２６は、赤外線通信部２１を制御し、赤外線通信部２１を介して操作マニュアル表示データを携帯電話端末１３に送信する（ステップＳ２５）。
これにより、携帯電話端末１３の赤外線通信部３１が車載機器１１からマニュアル表示データを受信すると、コントロール部３７のＭＰＵ４０は、マニュアル表示データをバッファとして機能するＲＡＭ３９に格納しつつ、不揮発性メモリ３６に転送し、格納する（ステップＳ２６）。
【００１９】
つづいて、コントロール部３７のＭＰＵ４０は、不揮発性メモリ３６からマニュアル表示データを読み出し、ＲＡＭ３９に展開し、表示部３２に車載機器１１の操作マニュアルを表示する（ステップＳ２７）。この場合において、表示されるマニュアルは、ベクトルデータで構成された画像データ、あるいは、ＨＴＭＬ（Ｈｙｐｅｒ  Ｔｅｘｔ  Ｍａｒｋｕｐ  Ｌａｎｇｕａｇｅ）などにより形成されている。そして、各画像データあるいはＨＴＭＬの所定のページ（情報表示画面）には、操作部３３の操作により容易にジャンプ（移行）可能とされている。具体的には、初期状態において、電子栞情報表示画面あるいはサムネイル表示を行い選択された電子栞あるいはサムネイルに応じて、対応するページに移行するようにすればよい。あるいは、検索画面を表示し、ユーザの所望する操作に対応する検索語（キーワード）を入力して、対応する検索語を含むページにジャンプするようにしてもよい。この場合において、対応する検索語を含むページが複数存在する場合には、見出し語として検索語を含むページを優先的に表示するとともに、複数ページを連続的にジャンプできるようにすればよい。
【００２０】
図７は、携帯電話端末のマニュアル表示画面の一例の説明図である。
図８は、車載機器の操作パネルの外観正面図である。
具体的には、図７に示すように、携帯電話端末１３の表示部３２の表示画面３２Ａには、ディスク／メモリカードを取り出す場合の操作マニュアルが表示されている。
そこで、ユーザは、表示画面３２Ａに表示されている操作マニュアルに従って、ディスクを取り出す場合には、図８に示すように、車載機器１１の操作パネル１１Ａに設けられているディスクイジェクトボタン［ＣＤ△］２３Ａを押し下げることにより、ディスク挿入口１１Ｂからディスクがイジェクトされることを容易に理解して、実際にディスクイジェクトボタン２３Ａを操作することとなる。
【００２１】
以上の説明のように、本実施形態によれば、実際の車載機器１１を操作するに際し、携帯電話端末１３の表示画面３２Ａに操作マニュアルを表示できるので、操作ガイドを車載機器の表示部２２に表示する場合と比較して、表示領域を削減することもないので、表示部２２の内容を参照しながら操作を行う必要が有る場合などに特に効果的に正しい操作が行える。
また、携帯電話端末１３に操作マニュアル表示データのダウンロード用のアプリケーションプログラムがインストールされており、複数種類の車載機器１１で操作マニュアル表示データのデータフォーマットの共通化が図られている状態であれば、対象となる車載機器から直接、操作マニュアル表示データをダウンロードすることができるため、操作マニュアルにしたがって、さまざまな車載機器を容易に操作することが可能となる。したがって、例えば、友人から借りた車両に搭載されている車載機器であっても、直ちに操作マニュアルを手に入れ、操作を行うことができるようになる。
【００２２】
さらに、印刷された紙製の分厚いマニュアルを持ち歩く必要もなく、当該マニュアルを見ながら操作する場合と比較して、容易、かつ、迅速に操作を理解し、所望の動作を行わせることができる。
【００２３】
以上の説明においては、携帯型情報処理装置として携帯電話端末を用いる場合について説明したが、近接無線通信機能を使って車載機器と通信を行う構成を有する携帯型情報処理装置であれば、同様に適用が可能である。具体的には、ＰＤＡ（Ｐｅｒｓｏｎａｌ  Ｄｉｇｉｔａｌ  Ａｓｓｉｓｔａｎｃｅ）などの携帯用電子機器であって、車載機器との間でＢｌｕｅｔｏｏｔｈ（登録商標）やＩｒＤＡなどの短距離無線通信が可能なものであれば、適用が可能である。
【００２４】
以上の説明においては、操作マニュアル表示データをアプリケーションサーバからダウンロードする構成を採っていたが、メモリカードなどの記録媒体から携帯電話端末（携帯型情報処理装置）に読み込むように構成することも可能である。
この構成によれば、インターネットなどの通信ネットワークに接続していない環境あるいは回線状況などに起因して通信ネットワークに接続できない場合であっても、容易に対応することが可能である。
【図面の簡単な説明】
【００２５】
【図１】車載機器の操作支援システムの概要構成ブロック図である。
【図２】車載機器の概要構成ブロック図である。
【図３】携帯電話端末の概要構成ブロック図である。
【図４】アプリケーションプログラムダウンロード時のシーケンスフローチャートである。
【図５】マニュアル表示データダウンロード時のシーケンスフローチャートである。
【図６】アプリケーションプログラム起動時の携帯電話端末の表示画面の説明図である。
【図７】携帯電話端末のマニュアル表示画面の一例の説明図である。
【図８】車載機器の操作パネルの外観正面図である。
【符号の説明】
【００２６】
１０    操作支援システム
１１    車載機器
１１Ａ  操作パネル
１１Ｂ  ディスク挿入口
１２    短距離無線通信ネットワーク
１３    携帯電話端末
１４    公衆通信ネットワーク
１５    アプリケーションサーバ
２１    赤外線通信部
２２    表示部
２３    操作部
２３Ａ  ディスクイジェクトボタン
２４    ディスク再生部
２５    外部記憶装置
２６    コントロール部
２７    ＲＯＭ
２８    ＲＡＭ
２９    ＭＰＵ
３１    赤外線通信部
３１Ａ  赤外光受発光部
３２    表示部
３２Ａ  表示画面
３３    操作部
３４    メモリカードリーダライタ部
３５    無線通信部
３６    不揮発性メモリ
３７    コントロール部
３８    ＲＯＭ
３９    ＲＡＭ
４０    ＭＰＵ
４１    サーバ本体
４２    データベース部
【図１】
0005081522.tif 000002
【図２】
0005081522.tif 000003
【図３】
0005081522.tif 000004
【図４】
0005081522.tif 000005
【図５】
0005081522.tif 000006
【図６】
0005081522.tif 000007
【図７】
0005081522.tif 000008
【図８】
0005081522.tif 000009